(57)【要約】【課題】吸気口にホースを装着すれば掃除機として使用し、吸気口にフィルタを装着すれば空気清浄機として使用することができるが、装置の機能を変更するには、その都度、ユーザが吸気口に対する装着物を変更しなければならず、面倒な手間をユーザに強いる必要があるなどの課題があった。【解決手段】掃除機１が収納スペース３に格納されている状態のとき、掃除機１に内蔵されている電動送風機１３を利用して外気を吸引し、その外気を浄化して排出する空気清浄機２を設ける。【選択図】　　　　図１
2004024521.tif 000002
【特許請求の範囲】
【請求項１】
吸込口からダストを吸引する電動送風機を内蔵し、そのダストを集塵ケースに収納する掃除機と、上記掃除機を格納する収納スペースを有し、上記掃除機が上記収納スペースに格納されている状態のとき、上記掃除機に内蔵されている電動送風機を利用して外気を吸引し、その外気を浄化して排出する空気清浄機とを備えたダスト収集装置。
【請求項２】
空気清浄機は、掃除機が収納スペースに格納されている状態のとき、上記掃除機に内蔵されている電動送風機を利用して、上記掃除機の集塵ケースに収納されているダストを内蔵集塵ケースに集めるダスト収集機能を備えていることを特徴とする請求項１記載のダスト収集装置。
【請求項３】
空気清浄機は、掃除機が収納スペースに格納されていない状態のとき、外気の浄化要求又はダストの収集要求を受けると、その要求を拒否して、掃除機が収納スペースに格納されていない旨を示すメッセージを出力することを特徴とする請求項１または請求項２記載のダスト収集装置。
【請求項４】
空気清浄機は、内蔵集塵ケース内の空気圧を調整する空気圧調整機能を備えていることを特徴とする請求項２記載のダスト収集装置。
【請求項５】
空気清浄機は、掃除機の駆動用電力を充電する充電機能を備えていることを特徴とする請求項１記載のダスト収集装置。
【請求項６】
空気清浄機の内蔵集塵ケースにダストの舞上りを防止するメッシュ状の蓋を付けることを特徴とする請求項２記載のダスト収集装置。
【発明の詳細な説明】
【０００１】
【発明の属する技術分野】
この発明は、掃除機と空気清浄機を備えているダスト収集装置に関するものである。
【０００２】
【従来の技術】
掃除機と空気清浄機は、空気を吸引して排気するなど技術的に共通する点があるが、従来はそれぞれ単機能機として別々に市販されている。
なお、特開昭６２−６８４３２号公報には、掃除機として使用する場合には、吸気口にホースを装着し、空気清浄機として使用する場合には、ホースの代わりに吸気口にフィルタを装着するダスト収集装置が開示されている。
【０００３】
【発明が解決しようとする課題】
従来のダスト収集装置は以上のように構成されているので、吸気口にホースを装着すれば掃除機として使用し、吸気口にフィルタを装着すれば空気清浄機として使用することができるが、装置の機能を変更するには、その都度、ユーザが吸気口に対する装着物を変更しなければならず、面倒な手間をユーザに強いる必要があるなどの課題があった。
【０００４】
この発明は上記のような課題を解決するためになされたもので、面倒な手間をユーザに強いることなく、掃除機及び空気清浄機の機能を実現することができるダスト収集装置を得ることを目的とする。
【０００５】
【課題を解決するための手段】
この発明に係るダスト収集装置は、掃除機が収納スペースに格納されている状態のとき、掃除機に内蔵されている電動送風機を利用して外気を吸引し、その外気を浄化して排出する空気清浄機を設けたものである。
【０００６】
この発明に係るダスト収集装置は、掃除機が収納スペースに格納されている状態のとき、空気清浄機が掃除機に内蔵されている電動送風機を利用して、掃除機の集塵ケースに収納されているダストを内蔵集塵ケースに集めるダスト収集機能を備えるようにしたものである。
【０００７】
この発明に係るダスト収集装置は、掃除機が収納スペースに格納されていない状態のとき、外気の浄化要求又はダストの収集要求を受けると、その要求を拒否して、掃除機が収納スペースに格納されていない旨を示すメッセージを出力するようにしたものである。
【０００８】
この発明に係るダスト収集装置は、空気清浄機が内蔵集塵ケース内の空気圧を調整する空気圧調整機能を備えるようにしたものである。
【０００９】
この発明に係るダスト収集装置は、空気清浄機が掃除機の駆動用電力を充電する充電機能を備えるようにしたものである。
【００１０】
この発明に係るダスト収集装置は、空気清浄機の内蔵集塵ケースにダストの舞上りを防止するメッシュ状の蓋を付けるようにしたものである。
【００１１】
【発明の実施の形態】
以下、この発明の実施の一形態を説明する。
実施の形態１．
図１はこの発明の実施の形態１によるダスト収集装置を示す斜視図であり、図において、１は吸込口からダストを吸引する電動送風機を内蔵し、そのダストを集塵ケースに収納する掃除機、２は掃除機１を格納する収納スペース３を有し、掃除機１が収納スペース３に格納されている状態のとき、掃除機１に内蔵されている電動送風機を利用して外気を吸引し、その外気を浄化して排出する空気清浄機、３は掃除機１を格納する収納スペースである。
【００１２】
図２は掃除機１の内部構成を示す構成図であり、図３は掃除機１及び空気清浄機２の内部構成を示す構成図である。図において、１０はダスト、１１は掃除機１の吸込口、１２はダスト１０を吸引する際に吸込口１１を開く一方、空気清浄機２が起動するとき吸込口１１を閉じるゲート、１３は吸込口１１からダスト１０を吸引する電動送風機、１４は電動送風機１３により吸引されたダストを収納する集塵ケース、１４ａは集塵ケース１４の入口、１４ｂは集塵ケース１４の出口、１５はフィルタ、１５ａはフィルタ１５の入口、１６はダスト１０の吸引時及び集塵ケース１４に収納されているダスト１０の搬送時には、集塵ケース１４の入口１４ａを開いてフィルタ１５の入口１５ａを閉じる一方、外気の浄化時にはフィルタ１５の入口１５ａを開いて集塵ケース１４の入口１４ａを閉じるゲートである。
【００１３】
１７はダスト１０の搬送時には、集塵ケース１４の出口１４ｂを開く一方、ダスト１０の吸引時及び外気の浄化時には、集塵ケース１４の出口１４ｂを閉じるゲート、１８は空気清浄機２との接続口、１９はダスト１０の搬送時には接続口１８を開く一方、ダスト１０の吸引時及び外気の浄化時には接続口１８を閉じるゲート、２０は空気清浄機２との接続口、２１は外気の浄化時には接続口２０を開く一方、ダスト１０の吸引時及びダスト１０の搬送時には接続口２０を閉じるゲート、２２は掃除機１の排気口、２３は吸込口１１の内側上部の通風口に設けられた蓋、３０は空気清浄機２の吸込口、３１はフィルタ、３２，３３は空気誘導路、３３ａは空気誘導路３３の上部、３４はメッシュフィルタ、３５は空気清浄機２の集塵ケース（内蔵集塵ケース）、３６は空気清浄機２の排気口である。
【００１４】
次に動作について説明する。
空気清浄機２は、図１（ｂ）に示すように、掃除機１を格納する収納スペース３を有しており、図１（ａ）に示すように、掃除機１が空気清浄機２に収納されているときは、掃除機１の電動送風機１３を利用して、空気清浄機の機能を実現する。
一方、図１（ｃ）に示すように、掃除機１が空気清浄機２から分離されている状態では、掃除機１は通常の掃除機の機能を実現する。
【００１５】
ここで、掃除機１がダストを収集する際の動作を説明する。
ユーザが掃除機１の起動スイッチを操作すると、図示せぬゲート制御機構がゲート１２，１６，１７，１９，２１の開閉状態を制御する。
即ち、図２に示すように、吸込口１１を開状態、集塵ケース１４の入口１４ａを開状態、集塵ケース１４の出口１４ｂを閉状態、及び空気清浄機２との接続口１８，２０を閉状態に設定する。
【００１６】
ゲート制御機構が上記のようにゲート１２，１６，１７，１９，２１の開閉状態を制御したのち、電動送風機１３が起動すると、掃除機内外の空気の圧力差に基づいて生じる風圧により通風口の蓋２３が押し上げられ、図２の矢印の向きで空気が流れるため、吸込口１１からダスト１０が吸引されて、ダスト１０が集塵ケース１４に蓄えられる。
これにより、部屋等に散らかっているダストを掃除することができる。
【００１７】
次に、空気清浄機２が集塵ケース１４に収納されているダスト１０を自己の集塵ケース３５に集める際の動作を説明する。
ユーザが空気清浄機２におけるダスト搬送スイッチを操作すると、図示せぬゲート制御機構がゲート１２，１６，１７，１９，２１の開閉状態を制御する。
即ち、図３（ｂ）に示すように、吸込口１１を閉状態、集塵ケース１４の入口１４ａを開状態、集塵ケース１４の出口１４ｂを開状態、空気清浄機２との接続口１８を開状態、及び空気清浄機２との接続口２０を閉状態に設定する。
ただし、ゲート制御機構は、ユーザがダスト搬送スイッチを操作しても、掃除機１が収納スペース３に格納されていない状態であることを検知すると、当該操作を無効として、ゲート１２，１６，１７，１９，２１の開閉状態の制御を行わない。この際、空気清浄機２は、掃除機１が収納スペース３に格納されていない旨を示すメッセージを表示する。あるいは、そのメッセージを音声出力する。
【００１８】
ゲート制御機構が上記のようにゲート１２，１６，１７，１９，２１の開閉状態を制御したのち、電動送風機１３が起動すると、掃除機内外の空気の圧力差に基づいて生じる風圧により通風口の蓋２３が押し上げられ、図３（ｂ）の矢印の向きで空気が流れるため、集塵ケース１４に収納されているダスト１０が空気の流れによって巻き上がり、そのダスト１０が空気誘導路３２を通じて、空気清浄機２の集塵ケース３５に集められる。
これにより、掃除機１の集塵ケース１４に収納されているダスト１０をユーザが手動で除去することなく、容量の大きな空気清浄機２の集塵ケース３５に回収することができる。なお、掃除機１の集塵ケース１４は最低１回の掃除に必要な容量を有していれば足りるので、掃除機１の集塵ケース１４の小型化を図ることができる。
【００１９】
次に、空気清浄機２が空気を浄化する際の動作を説明する。
ユーザが空気清浄機２における空気浄化スイッチを操作すると、図示せぬゲート制御機構がゲート１２，１６，１７，１９，２１の開閉状態を制御する。
即ち、図３（ａ）に示すように、吸込口１１を閉状態、集塵ケース１４の入口１４ａを閉状態、集塵ケース１４の出口１４ｂを閉状態、１５ａを開状態、空気清浄機２との接続口１８を閉状態、及び空気清浄機２との接続口２０を開状態に設定する。
ただし、ゲート制御機構は、ユーザが空気浄化スイッチを操作しても、掃除機１が収納スペース３に格納されていない状態であることを検知すると、当該操作を無効として、ゲート１２，１６，１７，１９，２１の開閉状態の制御を行わない。この際、空気清浄機２は、掃除機１が収納スペース３に格納されていない旨を示すメッセージを表示する。あるいは、そのメッセージを音声出力する。
【００２０】
ゲート制御機構が上記のようにゲート１２，１６，１７，１９，２１の開閉状態を制御したのち、電動送風機１３が起動すると、掃除機内外の空気の圧力差は生じないため、蓋２３は通風口を閉じたままである。従って、図３（ａ）の矢印の向きで空気が流れるため、空気清浄機２の吸込口３０から吸引された外気がフィルタ３１によって浄化され、浄化後の空気が空気清浄機２の排気口３６から送出される。
これにより、部屋内の汚れた空気を浄化することができる。
【００２１】
以上で明らかなように、この実施の形態１によれば、掃除機１が収納スペース３に格納されている状態のとき、掃除機１に内蔵されている電動送風機１３を利用して外気を吸引し、その外気を浄化して排出する空気清浄機２を設けるように構成したので、面倒な手間をユーザに強いることなく、掃除機及び空気清浄機の機能を実現することができる効果を奏する。
なお、空気清浄機２は掃除機１に内蔵されている電動送風機１３を利用するので、空気清浄機２が独自に電動送風機を搭載する必要がなく、装置構成の簡略化を図ることができる。
【００２２】
この実施の形態１では、ユーザが掃除機１の起動スイッチ、ダスト搬送スイッチ又は空気浄化スイッチのいずれかを操作するものについて示したが、これらのスイッチを１つの切換スイッチにまとめることにより、ユーザが当該切換スイッチによって、いずれかの動作モード（掃除機１の起動、ダスト搬送、空気浄化）を選択するようにしてもよい。
【００２３】
実施の形態２．
上記実施の形態１では、特に言及していないが、空気清浄機２が集塵ケース１４に収納されているダスト１０を自己の集塵ケース３５に集める際、例えば、ゲート１９の開閉状態を制御して、空気清浄機２との接続口１８の開度を調整することにより、空気清浄機２の集塵ケース３５内の空気圧を調整するようにしてもよい。
例えば、空気清浄機２との接続口１８の開度を小さくすれば、集塵ケース３５内の空気圧が高まるため、集塵ケース３５内のダスト１０を圧縮して小さくすることができる。一方、空気清浄機２との接続口１８の開度を大きくすれば、集塵ケース３５内の空気圧が低くなるため、集塵ケース１４に収納されているダスト１０を集塵ケース３５に搬送する速度を早くすることができる。
【００２４】
実施の形態３．
上記実施の形態１では、特に言及していないが、掃除機１が収納スペース３に格納されている状態のとき、空気清浄機２が掃除機１の駆動用電力を充電する充電器を備えるようにしてもよい。
これにより、掃除機１が充電器を備える必要がないため、掃除機１の小型化を図ることができる。
【００２５】
実施の形態４．
上記実施の形態１では、特に言及していないが、空気清浄機２が集塵ケース１４に収納されているダスト１０を自己の集塵ケース３５に集める際、ダスト１０が舞上って、空気誘導路３３の上部３３ａに堆積することがある。空気誘導路３３の上部３３ａに堆積されているダスト１０は、上記実施の形態２のようにして集塵ケース３５内の空気圧を高めても圧縮することが困難である。
そこで、この実施の形態４では、図４に示すように、空気清浄機２の集塵ケース３５にダスト１０の舞上りを防止するメッシュ状の蓋４０を付けるようにしている。これにより、ダスト１０が空気誘導路３３の上部３３ａに堆積することを防ぐことができる。ただし、蓋４０は、集塵ケース３５内のダスト１０を除去する際、上部方向に引き出すことにより、取り外すことができるものとする。
また、図５に示すように、空気誘導路３３の上部３３ａを円錐形にするなど、ダスト１０が堆積し難い構造にしてもよい。
【００２６】
【発明の効果】
以上のように、この発明によれば、掃除機が収納スペースに格納されている状態のとき、掃除機に内蔵されている電動送風機を利用して外気を吸引し、その外気を浄化して排出する空気清浄機を設けるように構成したので、面倒な手間をユーザに強いることなく、掃除機及び空気清浄機の機能を実現することができる効果がある。また、空気清浄機が独自に電動送風機を搭載する必要がないため、装置構成の簡略化を図ることができる効果がある。
【００２７】
この発明によれば、掃除機が収納スペースに格納されている状態のとき、空気清浄機が掃除機に内蔵されている電動送風機を利用して、掃除機の集塵ケースに収納されているダストを内蔵集塵ケースに集めるダスト収集機能を備えるように構成したので、掃除機の集塵ケースに収納されているダストをユーザが手動で除去することなく、容量の大きな空気清浄機の内蔵集塵ケースに回収することができる効果がある。
【００２８】
この発明によれば、掃除機が収納スペースに格納されていない状態のとき、外気の浄化要求又はダストの収集要求を受けると、その要求を拒否して、掃除機が収納スペースに格納されていない旨を示すメッセージを出力するように構成したので、ゲートの開閉制御など、無駄な制御の実施を回避することができるとともに、掃除機が収納スペースに格納されていないことをユーザに知らせることができる効果がある。
【００２９】
この発明によれば、空気清浄機が内蔵集塵ケース内の空気圧を調整する空気圧調整機能を備えるように構成したので、内蔵集塵ケース内のダストを圧縮して小さくすることができる効果がある。
【００３０】
この発明によれば、空気清浄機が掃除機の駆動用電力を充電する充電機能を備えるように構成したので、掃除機の小型化を図ることができる効果がある。
【００３１】
この発明によれば、空気清浄機の内蔵集塵ケースにダストの舞上りを防止するメッシュ状の蓋を付けるように構成したので、ダストが空気誘導路の上部に堆積することを防ぐことができる効果がある。
【図面の簡単な説明】
【図１】この発明の実施の形態１によるダスト収集装置を示す斜視図である。
【図２】掃除機の内部構成を示す構成図である。
【図３】掃除機及び空気清浄機の内部構成を示す構成図である。
【図４】掃除機及び空気清浄機の内部構成を示す構成図である。
【図５】掃除機及び空気清浄機の内部構成を示す構成図である。
【符号の説明】
１　掃除機、２　空気清浄機、３　収納スペース、１０　ダスト、１１　吸込口、１２　ゲート、１３　電動送風機、１４　集塵ケース、１４ａ　集塵ケースの入口、１４ｂ　集塵ケースの出口、１５　フィルタ、１５ａ　フィルタの入口、１６　ゲート、１７　ゲート、１８　空気清浄機との接続口、１９　ゲート、２０　空気清浄機との接続口、２１　ゲート、２２　掃除機の排気口、２３　蓋、３０　空気清浄機の吸込口、３１　フィルタ、３２，３３　空気誘導路、３３ａ　空気誘導路の上部、３４　メッシュフィルタ、３５　集塵ケース（内蔵集塵ケース）、３６　空気清浄機の排気口。
【図１】
2004024521.tif 000003
【図２】
2004024521.tif 000004
【図３】
2004024521.tif 000005
【図４】
2004024521.tif 000006
【図５】
2004024521.tif 000007